(57)【要約】      （修正有）【課題】特にバックパックやトートバッグなどに用いて防水機能を具備させるバッグの裏地及びの裏地付きの防水バッグを提供する。【解決手段】バッグの裏地１０は、少なくとも１枚の防水生地１１及び少なくとも１つの防水テープ１４を有し、そのうち、その防水生地は、互いの縁部が重ね縫いされ、内部に収納空間１１１が形成され、その防水テープは、重ね縫いされた縁部の縫い目をカバーするように貼り付けられ、縫い目と防水生地との間の隙間を充填して密封することによって、バッグの裏地に防水効果を提供する。【選択図】図１
0003199766.tif 000002
【実用新案登録請求の範囲】
【請求項１】
内部に収納空間が形成されるように、互いの縁部が重ね縫いされる、少なくとも１枚の防水生地と、
前記重ね縫いされた縁部の縫い目をカバーするように貼り付けられ、該縫い目と防水生地との間の隙間を充填して密封する、少なくとも１つの防水テープと、を有することを特徴とするバッグの裏地。
【請求項２】
前記防水生地の収納空間を区画するために、該収納空間内に位置するように、防水生地の周縁に少なくとも１つの区画生地が縫合され、該区画生地が防水生地に縫合された箇所における縫い目に防水テープが貼り付けられることを特徴とする請求項１に記載のバッグの裏地。
【請求項３】
前記防水生地に、収納空間に位置し、且つ区画生地と対応するように固定構造が縫合され、その固定構造は、着脱可能に区画生地に接着され、該防水生地における、固定構造の縫合箇所の固定縫い目に防水テープが貼り付けられることを特徴とする請求項２に記載のバッグの裏地。
【請求項４】
請求項１乃至３の何れか１項に記載のバッグの裏地を有する裏地付きの防水バッグにおいて、
外袋と、かぶせと、少なくとも１つの携帯部材とを有し、
その内、外袋は、内部に収容空間が形成され、該収容空間に裏地が設置され、該裏地は外袋に縫合され、該裏地と外袋との間に介在空間が形成され、
前記かぶせは、外袋における収容空間の上部近傍に連結され、一側縁部を介して外袋の上縁に連結され、選択可能に裏地の収納空間をカバーし、
前記携帯部材は、外袋に取り付けられることを特徴とする裏地付きの防水バッグ。
【請求項５】
前記携帯部材が外袋に設置された１対の肩ひもであることを特徴とする請求項４に記載の裏地付きの防水バッグ。
【請求項６】
前記携帯部材がかぶせに設置された持ち手であることを特徴とする請求項４に記載の裏地付きの防水バッグ。
【請求項７】
前記外袋の底部に介在空間と連通する排水穴が形成されることを特徴とする請求項４乃至６の何れか１項に記載の裏地付きの防水バッグ。
【考案の詳細な説明】
【技術分野】
【０００１】
本考案は、特にバックパックやトートバッグなどのバッグに用いる、防水機能を備えるバッグの裏地及びその裏地付きのバッグに関するものである。
【背景技術】
【０００２】
既存の防水機能付きバックパックまたはトートバックは、バッグのカバー材質に防水生地を用いたものであるが、製造過程における防水生地の縫合時に針穴が発生することから、大雨の時、それらの針穴を通って水が滲入してしまうので、防水生地を用いても完全に防水することが出来ない。つまり、既存の防水機能付きバックパックまたはトートバッグは、小雨の時は、水に耐えることができるが、大雨の時は、完全に防水することが出来ないといった問題があった。
【０００３】
この後、その水の滲入の問題を解決するために、バックパック用の防水カバーまたはトートバッグ用の防水カバーでバックパックまたはトートバッグを包み込むことにより、バッグの内部に水が滲入しないように防水効果を強化したものが案出された。
【考案の概要】
【考案が解決しようとする課題】
【０００４】
しかしながら、このようなものは、バッグと共に防水カバーを持って行かなければ、大雨が突然降って来ても、防水できなく、また、防水カバーの材質が薄くて軽すぎることから、簡単に落ちてしまったり、風邪で吹き飛んでしまうと言った問題もあり、更には、バッグを包み込むための手間もかかるので、使用上に非常に不便であり、改良する必要があった。
【課題を解決するための手段】
【０００５】
本考案に係るバッグの裏地は、
内部に収納空間が形成されるように、互いの縁部が重ね縫いされる、少なくとも１枚の防水生地と、
前記重ね縫いされた縁部の縫い目をカバーするように貼り付けられ、該縫い目と防水生地との間の隙間を充填して密封する、少なくとも１つの防水テープと、を有するものである。
【０００６】
本考案に係るバッグの裏地において、
前記防水生地の収納空間を区画するために、該収納空間内に位置するように、防水生地の周縁に少なくとも１つの区画生地が縫合され、該区画生地が防水生地に縫合された箇所における縫い目に防水テープが貼り付けられることが好ましい。
【０００７】
本考案に係るバッグの裏地において、
前記防水生地に、収納空間に位置し、且つ区画生地と対応するように固定構造が縫合され、その固定構造は、着脱可能に区画生地に接着され、該防水生地における、固定構造の縫合箇所の固定縫い目に防水テープが貼り付けられることが好ましい。
【０００８】
上述したバッグの裏地を有する裏地付きの防水バッグにおいて、
さらに、外袋と、かぶせと、少なくとも１つの携帯部材とを有し、
その内、外袋は、内部に収容空間が形成され、該収容空間に裏地が設置され、該裏地は外袋に縫合され、該裏地と外袋との間に介在空間が形成され、
前記かぶせは、外袋における収容空間の上部近傍に連結され、一側縁部を介して外袋の上縁に連結され、選択可能に裏地の収納空間をカバーし、
前記携帯部材は、外袋に取り付けられる裏地付きの防水バッグを提供する。
【０００９】
本考案に係る裏地付きの防水バッグにおいて、前記携帯部材が外袋に設置された１対の肩ひもであることが好ましい。
【００１０】
本考案に係る裏地付きの防水バッグにおいて、前記携帯部材がかぶせに設置された持ち手であることが好ましい。
【００１１】
本考案に係る裏地付きの防水バッグにおいて、前記外袋の底部に介在空間と連通する排水穴が形成されることが好ましい。
【考案の効果】
【００１２】
本考案に係るバッグの裏地は、主に防水生地からなると共に、縫合された箇所における縫い目にそれぞれ防水テープが貼り付けられることから、縫い目に針穴を有しても、防水テープにより針穴を密封していることから、水が滲入することはないので、優れた防水効果を提供することができる。
【００１３】
また、本考案に係る裏地付きの防水バッグは、外袋に裏地が縫合され、該裏地と外袋との間に介在空間が形成され、該外袋の上部近傍にかぶせが連結され、該かぶせは、必要に応じてバッグの裏地の収納空間を開閉できることから、雨が外袋の上部から裏地に滲入することはない。さらに、その防水バッグの外袋に、介在空間と連通する排水穴が形成されることから、雨が介在空間に滲入しても排水穴を介して簡単に排水できるので、裏地及び防水バッグを常に乾燥した状態に維持することが出来る。
【図面の簡単な説明】
【００１４】
【図１】本考案に係るバッグの裏地の斜視図である。
【図２】本考案に係るバッグの裏地において、防水テープを防水生地の縫い目に貼り付ける状態を示す部分拡大斜視図である。
【図３】本考案に係るバッグの裏地の平面図である。
【図４】本考案に係る裏地付きの防水バッグの側面断面図である。
【考案を実施するための形態】
【００１５】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１６】
図１に示すように、本考案に係る裏地１０は、２枚の防水生地１１と、区画生地１２と、固定構造１３と、複数の防水テープ１４とを有する。
【００１７】
図１乃至図３に示すように、その２枚の防水生地１１は、対向するように設置されると共に、互いの縁部が重ね縫いされることにより、その内部に、上部に開口を有する収納可能な収納空間１１１が形成される。また、前記防水生地１１は、熱可塑性ポリウレタン、ＴＰＵや、ポリ塩化ビニル、ＰＶＣ、ポリカプロラクトン、ＰＣＬなどの材質からなり、その２枚の防水生地１１が重ね縫いされた縁部に縫い目１１２が有る。
【００１８】
前記防水テープ１４は、縫い目１１２をカバーするように、防水生地１１における、収納空間１１１と対向する側に貼り付けられ、また、該防水テープ１４は、４００℃−６００℃程度の高温での溶接手段により、縫い目１１２をカバーするように防水生地１１の外側に貼り付けられ、それによれば、防水テープ１４が縫い目１１２と防水生地１１との間に入り込んで隙間を埋めることから、縫い目１１２に有する針穴を密封して塞ぐので、防水効果を提供することができる。
【００１９】
前記区画生地１２は、防水生地１１の収納空間１１１を区画するために、収納空間１１１内に位置するように、防水生地１１の周縁に縫合され、該防水生地１１における、区画生地１２が縫合された箇所に縫い目１２１を有し、該縫い目１２１に防水テープ１４が貼り付けられ、該防水テープ１４により縫い目１２１の針穴を密封して塞ぐことによって防水効果を具備させる。
【００２０】
前記固定構造１３は、着脱可能なベルト状のファスナーであり、防水生地１１における、収納空間１１１に位置し、且つ区画生地１２と対応するように縫合され、着脱可能に区画生地１２に接着され、区画生地１２の開口の一部をカバーすることが出来る。また、該防水生地１１における、固定構造１３が縫合された箇所に固定縫い目１３１を有し、該固定縫い目１３１に防水テープ１４が貼り付けられ、該防水テープ１４により固定縫い目１３１の針穴を密封して塞ぐことによって防水効果を具備させる。
【００２１】
本考案に係る裏地１０は、防水バッグ２０に利用することができ、図４に示すように、該防水バッグ２０は、外袋２１と、かぶせ２２と、携帯部材２３とを有する。
【００２２】
前記外袋２１は、内部に収容空間２１１が形成され、該収容空間２１１に裏地１０が設置され、該裏地１０の上側縁部は、やや外部へ折り返すように外袋２１の上縁部に縫合され、該裏地１０と外袋２１との間に介在空間２４が形成される。
【００２３】
前記かぶせ２２は、外袋２１の収容空間２１１の上部近傍に連結され、すなわち、その一側縁部が外袋２１の上縁近傍に接着される。尚、前記かぶせ２２は、外袋２１と一体に形成されることが好ましい。また、該そのかぶせ２２は、必要に応じて裏地１０の収納空間１１１を開閉できるので、そのかぶせ２２を用いれば、裏地１０と外袋２１との間の隙間から介在空間２４への水の滲入を防止することができる。
【００２４】
前記携帯部材２３は通常、外袋２１またはかぶせ２２に取り付けられる。尚、本実施例の携帯部材２３によれば、使用者が肩ひも２３１を用いて背負うことができ、また、かぶせ２２には持ち手２３２を設けてもよく、これにより、使用者はバックが持ち易くなる。更に、その携帯部材２３における肩ひも２３１及び持ち手２３２は、何れか１つのみ設置すればよいが、肩ひも２３１及び持ち手２３２の両方を設置してもよい。
【００２５】
前記外袋２１の底部に介在空間２４と連通する排水穴２５が形成され、該排水穴２５を用いれば、介在空間２４に滲入した水を排出することができると共に、換気もできるので、介在空間２４を常に乾燥状態に維持し、裏地１０や外袋２１におけるカビの発生を防ぐことができる。
【００２６】
上述したように、本考案に係るバッグの裏地１０においては、その防水生地１１の縫い目１１２、区画生地１２の縫い目１２１、固定構造１３の固定縫い目１３１にそれぞれ防水テープ１４が貼り付けられることから、縫い目１１２、縫い目１２１、固定縫い目１３１の隙間を塞いで密封することが出来るので、裏地１０の防水効果を高め、大雨時における、縫い目１１２、縫い目１２１、固定縫い目１３１からの水の滲入を防止するだけでなく、収納空間１１１に収納したものを保護することも出来る。
【００２７】
一方、本考案に係るバッグの裏地１０を用いて作成された防水バッグ２０は、かぶせ２２を有することから、裏地１０及び外袋２１の開口をカバーすることができるので、水が滲入することはなく、また、その裏地１０は、防水生地からなると共に、裏地１０と外袋２１との間に介在空間２４を形成しながら、介在空間２４と連通する排水穴２５も設けられることから、水が介在空間２４を介して防水生地１１の収納空間１１１に滲入することはないと共に、水は、排水穴２５から排出できるので、介在空間２４を常に乾燥状態に保つことができる。つまり、本考案に係る裏地付きの防水バッグは、完全に防水することが出来ると共に、防水カバーが不要で使いやすく、利便性が非常に高い。
【符号の説明】
【００２８】
１０                  裏地
１１                  防水生地
１１１                収納空間
１１２                縫い目
１２                  区画生地
１２１                縫い目
１３                  固定構造
１３１                固定縫い目
１４                  防水テープ
２０                  防水バッグ
２１                  外袋
２１１                収容空間
２２                  かぶせ
２３                  携帯部材
２３１                肩ひも
２３２                持ち手
２４                  介在空間
２５                  排水穴
【図１】
0003199766.tif 000003
【図２】
0003199766.tif 000004
【図３】
0003199766.tif 000005
【図４】
0003199766.tif 000006